【事件の表示】
　特許第５３８２７５４号に関する訂正審判事件について、次のとおり審決する。
【結　論】
　特許第５３８２７５４号に係る明細書及び特許請求の範囲を本件審判請求書に添付された訂正明細書及び訂正特許請求の範囲のとおり訂正することを認める。
【理　由】
第１　手続の経緯
　本件訂正審判の請求に係る特許第５３８２７５４号は、２０１２年１１月１９日（優先権主張２０１１年１１月２２日、日本国）を国際出願日とする特願２０１３−５１６８９７号の一部を平成２５年５月２７日に新たな特許出願としたものであって、その請求項１ないし請求項６３に係る発明について平成２５年１０月１１日に特許権の設定登録がなされたものである。
　そして、平成２６年６月２０日に本件訂正審判の請求がなされた。
　
第２　請求の趣旨
　本件訂正審判の請求の趣旨は、特許第５３８２７５４号の明細書及び特許請求の範囲を、審判請求書に添付した訂正明細書及び訂正特許請求の範囲のとおり一群の請求項ごとに訂正することを求めるものであって、具体的には、以下の訂正事項１〜９のとおりに訂正することを求めるものである。
　
１．請求項１〜２１からなる一群の請求項に係る訂正
（１）訂正事項１
　請求項１及び４の「ビールテイスト飲料」を、「ノンアルコールのビールテイスト飲料」に訂正する。
（２）訂正事項２
　請求項２０を削除する。
（３）訂正事項３
　請求項２１の「請求項１〜２０」を「請求項１〜１９」に訂正する。
　
２．請求項２２〜４２からなる一群の請求項に係る訂正
（１）訂正事項４
　請求項２２、２５、２７、３１〜４０の「ビールテイスト飲料」を、「ノンアルコールのビールテイスト飲料」に訂正する。
（２）訂正事項５
　請求項４１を削除する。
（３）訂正事項６
　請求項４２の「請求項２２〜４１」を「請求項２２〜４０」に訂正する。
　
３．請求項４３〜６３からなる一群の請求項に係る訂正
（１）訂正事項７
　請求項４３、４６、４８、５２〜６１の「ビールテイスト飲料」を、「ノンアルコールのビールテイスト飲料」に訂正する。
（２）訂正事項８
　請求項６２を削除する。
（３）訂正事項９
　請求項６３の「請求項４３〜６２」を「請求項４３〜６１」に訂正する。
　
第３　当審の判断
１．請求項１〜２１からなる一群の請求項に係る訂正について
（１）訂正の目的、新規事項の追加、特許請求の範囲の拡張又は変更
ア．訂正事項１
　訂正事項１は、請求項１及び４について、「ビールテイスト飲料」を、その下位概念である「ノンアルコールのビールテイスト飲料」に限定するものであるから、特許請求の範囲の減縮を目的とするものである。
　そして、請求項１又は４を直接又は間接に引用する請求項２、３、５〜１９、２１についても、同様に特許請求の範囲を減縮するものである。
　また、訂正前の請求項２０に「ビールテイスト飲料がノンアルコールのビールテイスト飲料である」と記載されているから、願書に添付した明細書、特許請求の範囲に記載した事項の範囲内の訂正であり、実質上特許請求の範囲を拡張し、又は変更するものでもない。
　
イ．訂正事項２
　訂正事項２は、請求項２０を削除するものであるから、特許請求の範囲の減縮を目的とするものである。
　また、願書に添付した明細書、特許請求の範囲に記載した事項の範囲内の訂正であり、実質上特許請求の範囲を拡張し、又は変更するものでもない。
　
ウ．訂正事項３
　訂正事項３は、請求項２１が引用する請求項の数を減少させるものであるから、特許請求の範囲の減縮を目的とするものである。
　また、願書に添付した明細書、特許請求の範囲に記載した事項の範囲内の訂正であり、実質上特許請求の範囲を拡張し、又は変更するものでもない。
　
エ．小括
　訂正事項１〜３は、特許法第１２６条第１項ただし書第１号に掲げる事項を目的とするものに該当し、かつ、同条第５項及び第６項の規定に適合するものである。
　
（２）独立特許要件
　訂正事項１〜３は、特許法第１２６条第１項ただし書第１号に掲げる事項を目的とするものであるところ、訂正後の請求項１〜１９、２１に記載されている事項により特定される各発明について、特許出願の際独立して特許を受けることができないとする理由を見いだせない。
　よって、訂正事項１〜３は、特許法第１２６条第７項の規定に適合する。
　
２．請求項２２〜４２からなる一群の請求項に係る訂正について
（１）訂正の目的、新規事項の追加、特許請求の範囲の拡張又は変更
ア．訂正事項４
　訂正事項４は、請求項２２、２５、２７、３１〜４０について、「ビールテイスト飲料」を、その下位概念である「ノンアルコールのビールテイスト飲料」に限定するものであるから、特許請求の範囲の減縮を目的とするものである。
　そして、請求項２２、２５、２７、３１〜４０を直接又は間接に引用する請求項２３、２４、２６、２８〜３０、４２についても、同様に特許請求の範囲を減縮するものである。
　また、訂正前の請求項４１に「ビールテイスト飲料がノンアルコールのビールテイスト飲料である」と記載されているから、願書に添付した明細書、特許請求の範囲に記載した事項の範囲内の訂正であり、実質上特許請求の範囲を拡張し、又は変更するものでもない。
　
イ．訂正事項５
　訂正事項５は、請求項４１を削除するものであるから、特許請求の範囲の減縮を目的とするものである。
　また、願書に添付した明細書、特許請求の範囲に記載した事項の範囲内の訂正であり、実質上特許請求の範囲を拡張し、又は変更するものでもない。
　
ウ．訂正事項６
　訂正事項６は、請求項４２が引用する請求項の数を減少させるものであるから、特許請求の範囲の減縮を目的とするものである。
　また、願書に添付した明細書、特許請求の範囲に記載した事項の範囲内の訂正であり、実質上特許請求の範囲を拡張し、又は変更するものでもない。
　
エ．小括
　訂正事項４〜６は、特許法第１２６条第１項ただし書第１号に掲げる事項を目的とするものに該当し、かつ、同条第５項及び第６項の規定に適合するものである。
　
（２）独立特許要件
　訂正事項４〜６は、特許法第１２６条第１項ただし書第１号に掲げる事項を目的とするものであるところ、訂正後の請求項２２〜４０、４２に記載されている事項により特定される各発明について、特許出願の際独立して特許を受けることができないとする理由を見いだせない。
　よって、訂正事項４〜６は、特許法第１２６条第７項の規定に適合する。
　
３．請求項４３〜６３からなる一群の請求項に係る訂正について
（１）訂正の目的、新規事項の追加、特許請求の範囲の拡張又は変更
ア．訂正事項７
　訂正事項７は、請求項４３、４６、４８、５２〜６１について、「ビールテイスト飲料」を、その下位概念である「ノンアルコールのビールテイスト飲料」に限定するものであるから、特許請求の範囲の減縮を目的とするものである。
　そして、請求項４３、４６、４８、５２〜６１を直接又は間接に引用する請求項４４、４５、４７、４９〜５１、６３についても、同様に特許請求の範囲を減縮するものである。
　また、訂正前の請求項６２に「ビールテイスト飲料がノンアルコールのビールテイスト飲料である」と記載されているから、願書に添付した明細書、特許請求の範囲に記載した事項の範囲内の訂正であり、実質上特許請求の範囲を拡張し、又は変更するものでもない。
　
イ．訂正事項８
　訂正事項８は、請求項６２を削除するものであるから、特許請求の範囲の減縮を目的とするものである。
　また、願書に添付した明細書、特許請求の範囲に記載した事項の範囲内の訂正であり、実質上特許請求の範囲を拡張し、又は変更するものでもない。
　
ウ．訂正事項９
　訂正事項９は、請求項６３が引用する請求項の数を減少させるものであるから、特許請求の範囲の減縮を目的とするものである。
　また、願書に添付した明細書、特許請求の範囲に記載した事項の範囲内の訂正であり、実質上特許請求の範囲を拡張し、又は変更するものでもない。
　
エ．小括
　訂正事項７〜９は、特許法第１２６条第１項ただし書第１号に掲げる事項を目的とするものに該当し、かつ、同条第５項及び第６項の規定に適合するものである。
　
（２）独立特許要件
　訂正事項７〜９は、特許法第１２６条第１項ただし書第１号に掲げる事項を目的とするものであるところ、訂正後の請求項４３〜６１、６３に記載されている事項により特定される各発明について、特許出願の際独立して特許を受けることができないとする理由を見いだせない。
　よって、訂正事項７〜９は、特許法第１２６条第７項の規定に適合する。
　
第４　むすび
　以上のとおり、本件訂正審判の請求に係る訂正は、特許法第１２６条第１項ただし書第１号に掲げる事項を目的とし、かつ、同条第５項ないし第７項の規定に適合する。
　よって、結論のとおり審決する。